(57)【要約】【課題】振動に対する応答時に高さが変化することなく、応答前の設置状態に復元できる支承装置を提供することを目的とする。【解決手段】床のフロア面で構造物を支持する支持構造において、構造物の下部に設けられた上沓１０，１０ａ，１０ｂと床のフロア面の上部に設けられた下沓２０，２０ａ，２０ｂとで構成され、上沓１０，１０ａ，１０ｂの摺動面１１と下沓２０，２０ａ，２０ｂの摺動面２１とが摺動する支承装置１，１ａ，１ｂに、下沓２０，２０ａ，２０ｂに対して相対移動した上沓１０，１０ａ，１０ｂを移動前の相対位置に向かう方向に付勢する付勢手段３０を備えた。【選択図】図３
2019211012.tif 000002
【特許請求の範囲】
【請求項１】
下部部材で上部部材を支持する支持構造において、前記上部部材の下部に設けられた上沓と前記下部部材の上部に設けられた下沓とで構成され、前記上沓の摺動面と前記下沓の摺動面とが摺動する支承装置であって、
前記下沓に対して相対移動した前記上沓を移動前の相対位置に向かう方向に付勢する付勢手段が備えられた
支承装置。
【請求項２】
前記上沓及び前記下沓は、
平面視矩形状に形成されるとともに、
長手方向が相互に交差する向きで配置された
請求項１に記載の支承装置。
【請求項３】
前記付勢手段は、
引っ張り方向に付勢する引張付勢手段で構成され、
前記上沓及び前記下沓の長手方向の端部付近同士を跨いで配置された
請求項２に記載の支承装置。
【請求項４】
前記付勢手段は、
高さ方向に近接する向きで付勢する構成とした
請求項１乃至３のうちいずれかに記載の支承装置。
【請求項５】
前記上沓及び前記下沓の少なくとも一方に、
他方に係止して前記下沓に対する前記上沓の浮き上がりを防止する浮上防止手段が設けられた
請求項１乃至４のうちいずれかに記載の支承装置。
【発明の詳細な説明】
【技術分野】
【０００１】
支承装置は、例えば、サーバ装置のラックなどの構造物を床に設置する際に用いるような支承装置に関する。
【背景技術】
【０００２】
従来より、例えば、免震用の支承装置として様々な構成の支承装置が提案されている。例えば、特許文献１における従来技術として、振り子運動の原理を応用した球面滑り支承が開示されている。
【０００３】
このような球面滑り支承（両球面タイプ）は、基礎地盤側及び建物側に相対向させて固定するとともに、所定の曲率半径の凹球面を有する球面部材と、該球面部材間に介在させるとともに上下部が凸球面である可動体とから構成され、地震動の作用に対する応答時に、凹球面の傾斜に沿って振り子の様に可動体が移動し、球面部材と可動体とが互いに滑動して免振する構成である。
【０００４】
そして、この両球面タイプの球面滑り支承の場合、建物の自重によって、応答前の設置状態に復元できるとされているが、可動体の位置や向きによって滑り支承の高さが変化するため、支持構造によっては用いることができなかった。
【先行技術文献】
【特許文献】
【０００５】
【特許文献１】特開平１１−３２４３９７号公報
【発明の概要】
【発明が解決しようとする課題】
【０００６】
そこで本発明では、振動に対する応答時に高さが変化することなく、応答前の設置状態に復元できる支承装置を提供することを目的とする。
【課題を解決するための手段】
【０００７】
この支承装置は、下部部材で上部部材を支持する支持構造において、前記上部部材の下部に設けられた上沓と前記下部部材の上部に設けられた下沓とで構成され、前記上沓の摺動面と前記下沓の摺動面とが摺動する支承装置であって、前記下沓に対して相対移動した前記上沓を移動前の相対位置に向かう方向に付勢する付勢手段が備えられたことを特徴とする。
【０００８】
この支承装置の態様として、前記上沓及び前記下沓は、平面視矩形状に形成されるとともに、長手方向が相互に交差する向きで配置されてもよい。  
またこの支承装置の態様として、前記付勢手段は、引っ張り方向に付勢する引張付勢手段で構成され、前記上沓及び前記下沓の長手方向の端部付近同士を跨いで配置されてもよい。
【０００９】
またこの支承装置の態様として、前記付勢手段は、高さ方向に近接する向きで付勢する構成としてもよい。  
またこの支承装置の態様として、前記上沓及び前記下沓の少なくとも一方に、他方に係止して前記下沓に対する前記上沓の浮き上がりを防止する浮上防止手段が設けられてもよい。
【発明の効果】
【００１０】
本発明により、振動に対する応答時に高さが変化することなく、応答前の設置状態に復元できる支承装置を提供することができる。
【図面の簡単な説明】
【００１１】
【図１】支承装置の斜視図。
【図２】支承装置の分解斜視図。
【図３】支承装置の説明図。
【図４】支承装置の平面図による説明図。
【図５】別の実施形態の支承装置の斜視図。
【図６】別の実施形態の支承装置の分解斜視図。
【図７】別の実施形態の支承装置の説明図。
【図８】さらに別の実施形態の支承装置の斜視図。
【図９】さらに別の実施形態の支承装置の説明図。
【発明を実施するための形態】
【００１２】
支承装置の一実施形態を以下図面とともに説明する。  
図１は支承装置１の斜視図を示し、図２は支承装置１の分解斜視図を示し、図３は支承装置１の説明図を示し、図４は支承装置１の平面図による説明図を示している。
【００１３】
詳しくは、図３（ａ）は支承装置１の正面図を示し、図３（ｂ）は支承装置１の図１で示すＡ−Ａ矢視断面図を示し、図３（ｃ）は支承装置１の側面図を示している。図４（ａ）は設置状態の支承装置１の平面図を示し、図４（ｂ）は応答した状態の支承装置１の平面図を示している。
【００１４】
なお、図１に示すように、下沓２０の長手方向（上沓１０の幅方向）を第１方向Ｘ、下沓２０の幅方向（上沓１０の長手方向）を第２方向Ｙ、支承装置１の高さ方向を高さ方向Ｚとしている。また、図４は、本実施形態の支承装置１のみならず後述する支承装置１ａ，１ｂについても図示している。また、図２では上沓本体１２の構成を明確にするため、手前側を透過状態で図示している。
【００１５】
支承装置１は、上部部材に相当する構造物（図示省略）の底面に設けられる上沓１０と、下部部材に相当する床（図示省略）のフロア面に設置される下沓２０とで構成され、上沓１０の摺動面１１と下沓２０の摺動面２１とが摺動する支承装置であって、例えば、図４（ｂ）に示すように、下沓２０に対して相対移動した上沓１０を、図４（ａ）に示すような設置状態、つまり移動前の相対位置に向かう方向に付勢する付勢手段３０が備えられている。
【００１６】
詳述すると、例えば、サーバ装置のラックなどの構造物（図示省略）の底面に設けられる上沓１０は、第１方向Ｘに比べて第２方向Ｙに長い上沓本体１２と、上沓本体１２の底面に配置され、摺動面１１を構成する滑り材１４とで構成している。
【００１７】
上沓本体１２は、平面視において第１方向Ｘに比べて第２方向Ｙに長く、側面視において高さ方向Ｚに適宜の厚みを有する、ＳＳ４００などの鋼製板材であり、長手方向（第２方向Ｙ）の端部に、下方に向かって突出する突出部１５を備えるとともに、底面に滑り材１４を装着する装着凹部１３を設けている。
【００１８】
なお、突出部１５は、装着凹部１３に装着した滑り材１４の底面より下方に突出する高さで構成している。また、突出部１５は、上沓本体１２に対して一体で構成してもよいし、別体で構成して上沓本体１２に固定してもよい。
【００１９】
また、上沓本体１２の長手方向（第２方向Ｙ）の端部に設けた突出部１５の長手方向（第２方向Ｙ）外側の下部には、後述する付勢手段３０を装着する半円形断面の装着溝１６を幅方向に沿って設けている。
【００２０】
滑り材１４は、上沓本体１２の底面に形成した装着凹部１３に装着した状態で、上沓本体１２の底面より下方にわずかに突出する厚みであり、平面視において第１方向Ｘに比べて第２方向Ｙに長い、滑り性の高いＰＴＦＥ（ポリテトラフルオロエチレン）系やＰＡ（ポリアミド）系の樹脂製の板材である。
【００２１】
下部部材に相当する床（図示省略）のフロア面に設置される下沓２０は、第２方向Ｙに比べて第１方向Ｘに長い下沓本体２２と、下沓本体２２の上面に配置され、摺動面２１を構成する滑り材２４とで構成している。
【００２２】
下沓本体２２は、平面視において第２方向Ｙに比べて第１方向Ｘに長く、側面視において高さ方向Ｚに適宜の厚みを有する、ＳＳ４００などの鋼製板材であり、長手方向（第１方向Ｘ）の端部に、上方に向かって突出する突出部２５を備えるとともに、上面に滑り材２４を装着する装着凹部２３を設けている。
【００２３】
なお、突出部２５は、装着凹部２３に装着した滑り材２４の上面より上方に突出する高さで構成している。また、突出部２５は、下沓本体２２に対して一体で構成してもよいし、別体で構成して下沓本体２２に固定してもよい。
【００２４】
また、下沓本体２２の長手方向（第１方向Ｘ）の端部の長手方向（第１方向Ｘ）外側には、後述する付勢手段３０を装着する半円形断面の装着溝２６を幅方向に沿って設けている。
【００２５】
滑り材２４は、下沓本体２２の上面に形成した装着凹部２３に装着した状態で、下沓本体２２の上面より上方にわずかに突出する厚みであり、平面視において第２方向Ｙに比べて第１方向Ｘに長い、滑り性の高いＰＴＦＥ（ポリテトラフルオロエチレン）系やＰＡ（ポリアミド）系の樹脂製の板材である。  
付勢手段３０は、ゴムなどの引張に対して縮む方向の適宜の付勢力が生じる無端状の弾性部材である。
【００２６】
上述のように各要素が構成された支承装置１は、上沓１０の装着凹部１３に滑り材１４を装着するとともに、下沓２０の装着凹部２３に滑り材２４を装着し、滑り材１４の底面と滑り材２４の上面とが対面するように、長手方向が第１方向Ｘとなるように設置した下沓２０の上方に、長手方向が第２方向Ｙとなる向きの上沓１０を設置する。
【００２７】
これにより、摺動面１１を構成する滑り材１４の底面と、摺動面２１を構成する滑り材２４の上面とが、第１方向Ｘ及び第２方向Ｙで構成する水平面上を摺動可能に構成される。なお、このように組み付けられ、高さ方向Ｚにおいて略同じ高さとなる上沓１０の装着溝１６と、下沓２０の装着溝２６とに嵌まるように付勢手段３０を略水平に装着して支承装置１の組み付けを完了する。
【００２８】
この組み付け状態では、付勢手段３０は、上沓１０及び下沓２０の周囲を取り囲むように張り巡らされ、そのうち、上沓１０の長手方向の端部における幅方向の一方の端部と、下沓２０の長手方向の端部における幅方向の一方の端部とを跨ぐ、第１方向Ｘ及び第２方向Ｙに交差する方向の斜め部分３１が形成される。
【００２９】
なお、付勢手段３０は、上沓１０の装着溝１６、及び下沓２０の装着溝２６に対して周方向にずれることのないように固定される。上沓１０の装着溝１６、及び下沓２０の装着溝２６に対する付勢手段３０の固定方法は、接着剤による固定や、固定治具による固定等の適宜の固定方法で固定すればよい。
【００３０】
この組み付け状態では、図４（ａ）に示すように、第１方向Ｘに沿う下沓２０の長手方向の中央に上沓１０が配置され、第２方向Ｙに沿う上沓１０の長手方向の中央に下沓２０が位置する、つまり、相互に長手方向の中央に対して配置される。
【００３１】
このとき、付勢手段３０における斜め部分３１にアソビ（弛み）が生じないような長さで付勢手段３０を形成している。なお、上記組み付け状態で、斜め部分３１に引張力（いわゆるプレテンション）が作用する長さで付勢手段３０を構成してもよい。
【００３２】
組み付けられた支承装置１の下沓２０を下部部材に相当する床（図示省略）のフロア面に設置し、上沓１０をサーバ装置のラックなどの構造物（図示省略）の底面に固定することで支承装置１の設置は完了する。
【００３３】
この設置状態において、地震等の振動が入力されると、下部部材に相当する床のフロア面に対して、サーバ装置のラックなどの構造物が相対移動し、構造物のフロア面に対する相対移動に伴って、図４（ｂ）に示すように、上沓１０と下沓２０とが摺動して下沓２０に対して上沓１０が相対移動する。なお、これを振動の入力に対する応答という。
【００３４】
なお、図４（ｂ）では、第１方向Ｘ及び第２方向Ｙの双方に相対移動した状態を図示しているが、入力された振動によっては、第１方向Ｘ及び第２方向Ｙの一方の方向に相対移動する場合もある。
【００３５】
そして、下沓２０に対して上沓１０が相対移動することで、上沓１０の移動方向（図４（ｂ）では右下方向）と反対側（図４（ｂ）では左上方向）の斜め部分３１が引っ張られて伸びる。このように、斜め部分３１が伸ばされることにより、斜め部分３１は相対移動した上沓１０を移動前の設置状態（図４（ａ）に図示する状態）に戻す方向の付勢力（図４（ｂ）において矢印Ｆで示す方向の力）を上沓１０に作用させ、当該付勢力によって下沓２０に対する相対移動が解消されるように上沓１０を移動させ、支承装置１は設置状態に復帰することができる。なお、矢印Ｆで示す付勢力は各斜め部分３１に生じる引張力の合力として作用することとなる。
【００３６】
上述のように、支承装置１は、床のフロア面で構造物を支持する支持構造において、構造物の下部に設けられた上沓１０と床のフロア面の上部に設置した下沓２０とで構成され、上沓１０の摺動面１１と下沓２０の摺動面２１とが摺動する支承装置１に、下沓２０に対して相対移動した上沓１０を移動前の相対位置、つまり設置状態となるように付勢する付勢手段３０を備えたことにより、振動に対する応答時に高さが変化することなく、応答前の設置状態に復元することができる。
【００３７】
詳述すると、支承装置１は、床のフロア面で構造物を支持する支持構造において、構造物の下部に設けられた上沓１０と床のフロア面の上部に設けられた下沓２０とで構成され、上沓１０の摺動面１１と下沓２０の摺動面２１とが摺動するため、下沓２０に対して上沓１０が相対移動しても支承装置１の高さが変化することはなく、また、付勢手段３０が下沓２０に対して相対移動した上沓１０を移動前の相対位置に向かう方向に付勢するため、応答前（移動前）の設置状態に復元することができる。
【００３８】
また、上沓１０及び下沓２０が、幅方向に比べて長手方向が長い平面視矩形状に形成されるとともに、長手方向が相互に直交する向きで配置されているため、上沓１０及び下沓２０のうち一方が他方の長手方向に摺動できるため、振動に対する応答時に高さが変化することなく全方向に摺動できるとともに、応答前の設置状態に復元することができる。
【００３９】
また、引っ張り方向に付勢する付勢手段３０を、上沓１０及び下沓２０の長手方向の端部付近同士を跨いで配置するため、より正確に応答前の設置状態に復元することができる。  
詳述すると、振動の作用によって下沓２０に対して相対移動した上沓１０により引っ張られた付勢手段３０で上沓１０を引っ張るため、正確に応答前の設置状態に復元することができる。
【００４０】
また、付勢手段３０を上沓１０及び下沓２０の長手方向の端部付近同士を跨いで配置して斜め部分３１を形成することによって、振動に対する応答による下沓２０に対する上沓１０の相対移動に付勢手段３０が干渉して摺動範囲が制限されることなく支承装置１が摺動することができる。
【００４１】
さらにまた、支承装置１は、上沓本体１２の第２方向Ｙの端部に下方に突出する突出部１５を備えるとともに、下沓本体２２の第１方向Ｘの端部に上方に突出する突出部２５を備えているため、上沓１０及び下沓２０が相互に第１方向Ｘ及び第２方向Ｙに移動しすぎて外れることを防止できる。
【００４２】
次に、上述の支承装置１と別の実施形態である支承装置１ａについて図５乃至図７とともに説明する。  
なお、支承装置１ａにおいて、上述した支承装置１と同様の構成については、同一の符号を付して、その説明を省略する。
【００４３】
図５は別の実施形態の支承装置１ａの斜視図を示し、図６は別の実施形態の支承装置１ａの分解斜視図を示し、図７は別の実施形態の支承装置１ａの説明図を示している。詳しくは、図７（ａ）は支承装置１ａの正面図を示し、図７（ｂ）は支承装置１ａの側面図を示している。なお、図６では上沓本体１２ａの構成を明確にするため、手前側を透過状態で図示している。
【００４４】
支承装置１ａは、上沓１０ａにおいて摺動面１１を構成する滑り材１４、及び下沓２０ａにおいて摺動面２１を構成する滑り材２４は、上述の支承装置１における滑り材１４及び滑り材２４と同じである。  
支承装置１ａの上沓１０ａを構成する上沓本体１２ａ及び下沓２０ａを構成する下沓本体２２ａが、上述の支承装置１の上沓１０を構成する上沓本体１２及び下沓２０を構成する下沓本体２２と異なる構成である。
【００４５】
具体的には、長手方向（第２方向Ｙ）の端部に突出部１５を幅方向に沿って設けた支承装置１の上沓本体１２と異なり、支承装置１ａの上沓本体１２ａは、長手方向（第２方向Ｙ）に一様な厚みで構成され、長手方向（第２方向Ｙ）の端部の側面に、付勢手段３０を装着する半円形断面の装着溝１６を幅方向に沿って設けている。なお、上沓本体１２ａの底面には、上沓本体１２と同様に装着凹部１３を形成している。
【００４６】
同様に、支承装置１ａの下沓本体２２ａも、長手方向（第１方向Ｘ）の端部に突出部２５を幅方向に沿って設けた支承装置１の下沓本体２２と異なり、長手方向（第１方向Ｘ）に一様な厚みで構成されている。なお、長手方向（第１方向Ｘ）の端部の側面には、下沓本体２２と同様に、付勢手段３０を装着する半円形断面の装着溝２６を幅方向に沿って設けている。また、下沓本体２２ａの上面には、下沓本体２２と同様に装着凹部２３を形成している。  
このように構成された上沓本体１２ａは、下沓本体２２ａと同じ構成であり、下沓本体２２ａと高さ方向Ｚに対して対称配置して構成することができる。
【００４７】
このような構成の上沓本体１２ａの装着凹部１３に滑り材１４を装着するとともに、摺動面１１を構成する滑り材１４の底面と、下沓２０ａにおいて摺動面２１を構成する滑り材２４の上面が摺動可能に対面するように上沓１０ａと下沓２０ａとを高さ方向Ｚに重ね合わせて組み付ける。
【００４８】
このとき、支承装置１と異なり、上沓１０ａの上沓本体１２における長手方向（第２方向Ｙ）の端部の側面に設けた装着溝１６と、下沓２０ａにおける下沓本体２２ａの装着溝２６とは同じ高さとならず、上沓１０ａの装着溝１６が下沓２０ａにおける装着溝２６より高い位置となる。
【００４９】
そのため、高さの異なる装着溝１６と装着溝２６とを跨いで付勢手段３０を装着すると、付勢手段３０は、上沓１０ａの長手方向の端部における幅方向の一方の端部と、下沓２０ａの長手方向の端部における幅方向の一方の端部とを跨ぐ、第１方向Ｘ及び第２方向Ｙに交差するとともに高さ方向Ｚに対しても交差する方向の斜め部分３１が形成される。
【００５０】
このように構成された支承装置１ａも、支承装置１と同様に、地震等によって支承装置１ａに振動が入力されると、図４（ｂ）に示すように、下沓２０ａに対して上沓１０ａが相対移動し、上沓１０ａを当初の設置状態に復帰させるべく、移動方向と逆側の斜め部分３１には、平面視方向において水平方向の付勢力が作用する。
【００５１】
さらに、設置状態において、斜め部分３１が高さ方向Ｚに交差する向きで配置された支承装置１ａでは、下沓２０ａに対する上沓１０ａの相対移動に伴って、付勢手段３０の斜め部分３１には、上述したような平面視方向のみならず、高さ方向Ｚの付勢力も作用することとなる。
【００５２】
このように、支承装置１ａは、上述の支承装置１で述べた効果に加え、付勢手段３０は、高さ方向Ｚに近接する向きで付勢するため、下沓２０ａに対して上沓１０ａが浮き上がることを防止することができる。
【００５３】
続いて、上述の支承装置１や支承装置１ａと別の実施形態である支承装置１ｂについて図８及び図９とともに説明する。  
なお、支承装置１ｂにおいて、上述した支承装置１と同様の構成については、同一の符号を付して、その説明を省略する。
【００５４】
図８はさらに別の実施形態の支承装置１ｂの斜視図を示し、図９はさらに別の実施形態の支承装置１ｂの説明図を示している。詳しくは、図９（ａ）は支承装置１ｂの正面図を示し、図９（ｂ）は支承装置１ｂの図８で示すＡ−Ａ矢視断面図を示し、図９（ｃ）は支承装置１ｂの側面図を示している。
【００５５】
支承装置１ｂは、上沓１０ｂにおいて摺動面１１を構成する滑り材１４、及び下沓２０ｂにおいて摺動面２１を構成する滑り材２４は、上述の支承装置１における滑り材１４及び滑り材２４と同じである。
【００５６】
支承装置１ｂの上沓１０ｂを構成する上沓本体１２ｂ及び下沓２０ｂを構成する下沓本体２２ｂが、上述の支承装置１の上沓１０を構成する上沓本体１２及び下沓２０を構成する下沓本体２２と異なる構成である。
【００５７】
具体的には、長手方向（第２方向Ｙ）の端部に突出部１５を幅方向に沿って設けた支承装置１の上沓本体１２と異なり、支承装置１ｂの上沓本体１２ｂは、長手方向（第２方向Ｙ）の端部に突出部１５ｂの下端部同士を長手方向（第２方向Ｙ）に跨ぐ渡し底板１７を備え、上沓本体１２ｂの底面と渡し底板１７の上面との間に下沓２０ｂが第１方向Ｘに貫通する挿通空間１８を有する第２方向Ｙに長い側面視略ロ字状に構成している。
【００５８】
なお、付勢手段３０を装着する半円形断面の装着溝１６は、突出部１５ｂの下部に設けている。また、滑り材１４を装着する装着凹部１３は、挿通空間１８に露出するように、上沓本体１２ｂの底面に形成している。
【００５９】
このように構成した上沓１０ｂの挿通空間１８を第１方向Ｘに貫通する下沓２０ｂは、支承装置１における下沓本体２２と同様に、上面に装着凹部２３が形成された所定の厚みの板材で構成され、その長手方向（第１方向Ｘ）の端部に、下方に向かって突出する突出部２５ｂを備え、突出部２５ｂにおける高さ方向Ｚの中間付近に装着溝２６を形成している。
【００６０】
このように構成した上沓１０ｂと下沓２０ｂとは、上沓１０ｂの挿通空間１８に下沓本体２２ｂを貫通させ、上沓本体１２ｂの装着凹部１３に装着した滑り材１４の底面と、下沓本体２２ｂの装着凹部２３に装着した滑り材２４の上面とが摺動可能に対面させて重ね合わせる。
【００６１】
このとき、上沓１０ｂにおいて突出部１５ｂに設けた装着溝１６と、下沓２０ｂにおいて突出部２５ｂに設けた装着溝２６とは、支承装置１と同様に、略同一の高さとなるため、図８に示すように、上沓１０ｂの装着溝１６と、下沓２０ｂの装着溝２６とを跨いで付勢手段３０を略水平に装着して支承装置１ｂの組付けを完了する。
【００６２】
なお、上述のような組付け状態において、渡し底板１７の底面が図示省略するフロア面より上方に位置する、つまり、渡し底板１７がフロア面と接触しない高さで突出部２５ｂを構成している。  
そして、挿通空間１８を貫通する下沓本体２２ｂの下方に配置される渡し底板１７は、上方に下沓本体２２ｂが配置される形となるため、下沓２０ｂに対して上沓１０ｂが浮き上がると、上沓１０ｂの渡し底板１７が下沓本体２２ｂに当接（係止）して下沓２０ｂに対する上沓１０ｂの浮き上がりを防止する浮上防止手段として機能することとなる。
【００６３】
このように組み付けられた支承装置１ｂの下沓２０ｂを下部部材に相当する床（図示省略）のフロア面に設置し、上沓１０ｂをサーバ装置のラックなどの構造物（図示省略）の底面に固定した設置状態において、地震等の振動入力に対して応答し、図４（ｂ）に示すように、上沓１０ｂと下沓２０ｂとが摺動して下沓２０ｂに対して上沓１０ｂが相対移動することで、上沓１０ｂの移動方向（図４（ｂ）では右下方向）と反対側（図４（ｂ）では左上方向）の斜め部分３１が引っ張られて伸ばされることにより、斜め部分３１は相対移動した上沓１０ｂを移動前の設置状態（図４（ａ）に図示する状態）に戻す方向の付勢力（図４（ｂ）において矢印Ｆで示す方向の力）を上沓１０ｂに作用させ、当該付勢力によって下沓２０ｂに対する相対移動が解消されるように上沓１０ｂを移動させ、支承装置１ｂは設置状態に復帰することができる。
【００６４】
また、支承装置１ｂは、上述の支承装置１で述べた効果に加え、上沓１０ｂに、下沓２０ｂに係止して下沓２０ｂに対する上沓１０ｂの浮き上がりを防止する渡し底板１７が設けられているため、振動に対する応答時の摺動や、応答前の設置状態への復元の際に、渡し底板１７によって下沓２０ｂに対する上沓１０ｂの浮き上がりを防止することができる。
【００６５】
なお、上沓１０ｂに設けた渡し底板１７を下沓２０ｂに当接（係止）して下沓２０ｂに対する上沓１０ｂの浮き上がりを防止したが、下沓２０ｂに設けた浮上り防止手段を上沓１０ｂに係止させて浮き上がりを防止してもよいし、上沓１０ｂ及び下沓２０ｂのそれぞれに設けた浮上り防止手段を互いに係止させて浮き上がりを防止するように構成してもよい。
【００６６】
さらにまた、支承装置１は、上沓本体１２ｂの第２方向Ｙの端部に下方に突出する突出部１５ｂを備えるとともに、下沓本体２２ｂの第１方向Ｘの端部に上方に突出する突出部２５ｂを備えているため、上沓１０ｂ及び下沓２０ｂが相互に第１方向Ｘ及び第２方向Ｙに移動しすぎて外れることを防止できる。
【００６７】
以上、本発明の構成と、前述の実施態様との対応において、本発明の下部部材は床のフロア面に対応し、
以下同様に、
上部部材は構造物に対応し、
上沓は上沓１０，１０ａ，１０ｂに対応し、
下沓は下沓２０，２０ａ，２０ｂに対応し、
上沓の摺動面は摺動面１１に対応し、
下沓の摺動面は摺動面２１に対応し、
支承装置は支承装置１，１ａ，１ｂに対応し、
付勢手段及び引張付勢手段は付勢手段３０に対応し、
高さ方向は高さ方向Ｚに対応し、
浮上防止手段は渡し底板１７に対応するも、上記実施形態に限定するものではない。
【００６８】
上述の説明においては、無端状の付勢手段３０を用いたが、紐状の付勢手段の両端部をカシメ部材等でカシメて無端状を構成できれば、下沓２０，２０ａ，２０ｂを下部部材に相当する床（図示省略）のフロア面に設置し、上沓１０，１０ａ，１０ｂをサーバ装置のラックなどの構造物（図示省略）の底面に固定してから、上沓１０，１０ａ，１０ｂの摺動面１１と下沓２０，２０ａ，２０ｂの摺動面２１とが対向するように配置してから付勢手段３０を装着してもよい。
【００６９】
また、下沓２０，２０ａ，２０ｂの幅方向の一方側における長手方向の両端部を跨いで無端状でない付勢手段を、幅方向の両側に設けて、上沓１０，１０ａ，１０ｂの装着溝１６に装着して構成してもよい。もちろん、上沓１０，１０ａ，１０ｂの幅方向の一方側における長手方向の両端部を跨いで無端状でない付勢手段を、幅方向の両側に設けて、下沓２０，２０ａ，２０ｂの装着溝２６に装着して構成してもよい。
【００７０】
さらには、斜め部分３１のみで付勢手段を構成してもよいが、ゴムだけでなく引張バネで斜め部分３１を構成してもよい。また、縮めることで押圧する付勢手段で構成してもよい。
【００７１】
また、上述の説明では、滑り材１４，２４を、それぞれ、上沓本体１２の底面、下沓本体２２の上面に設けた装着凹部１３，２３に嵌め込む例を示したが、装着凹部１３，２３を設けず、上沓本体１２の底面（平面）、下沓本体２２の上面（平面）に対して接着するようにしてもよい。
【００７２】
また、上述の説明では、コンピュータが収容されたラックなどの重量物を構造物とし、重量物を設置する床で支持するように上述の支承装置１，１ａ，１ｂを用いたが、建築物と基礎との間に配置されて建築物を支持するように上述の支承装置１，１ａ，１ｂを用いてもよいし、ビルとビルとを連絡する渡り廊下をビルで支持するように上述の支承装置１，１ａ，１ｂを用いてもよいし、同様に、トラス屋根を柱で支持する屋根構造や、別のビルを支持するエキスパンション構造などにおいて、上述の支承装置１，１ａ，１ｂを用いてもよい。
【００７３】
上記支承装置１，１ａ，１ｂは、第１方向Ｘ及び第２方向Ｙで構成する面内方向の任意の方向に可動する全方向可動支承であったが、面内方向における第１方向Ｘや第２方向Ｙの一方向にのみ可動する一方向可動支承としてもよい。  
また、上記支承装置１，１ａ，１ｂでは、上沓１０，１０ａ，１０ｂと下沓２０，２０ａ，２０ｂとを直交させて構成したが、直交のみならず所定の角度で交差させてもよい。
【符号の説明】
【００７４】
１，１ａ，１ｂ…支承装置
１０，１０ａ，１０ｂ…上沓
２０，２０ａ，２０ｂ…下沓
１１…摺動面
１７…渡し底板
２１…摺動面
３０…付勢手段
ｚ…高さ方向
【図１】
2019211012.tif 000003
【図２】
2019211012.tif 000004
【図３】
2019211012.tif 000005
【図４】
2019211012.tif 000006
【図５】
2019211012.tif 000007
【図６】
2019211012.tif 000008
【図７】
2019211012.tif 000009
【図８】
2019211012.tif 000010
【図９】
2019211012.tif 000011